【手続補正書】
【提出日】平成26年11月12日(2014.11.12)
【手続補正１】
【補正対象書類名】特許請求の範囲
【補正対象項目名】全文
【補正方法】変更
【補正の内容】
【特許請求の範囲】
【請求項１】
少なくとも１つの無線機を有するワイヤレスデバイスの動作方法であって、
第１規制範囲において少なくとも１つの周波数を動的に決定するステップと、
第２規制範囲において少なくとも１つの周波数を動的に決定するステップであって、前記第２規制範囲が免許制範囲であり、前記第２規制範囲において少なくとも１つの周波数を動的に決定するステップが、
前記デバイスの外部にあるソースから、前記免許制範囲内にある未使用チャネルを示す情報を入手するステップと、
前記免許制範囲における前記少なくとも１つの周波数が利用可能か否か判断するために、前記デバイスの外部にある前記ソースに繰り返しアクセスするステップを含み、
送信用データーを、少なくとも第１部分および第２部分に分解するステップと、
前記少なくとも１つの無線機によって、前記第１規制範囲において前記少なくとも１つの周波数を用いて少なくとも前記第１部分を送信し、前記第２規制範囲において前記少なくとも１つの周波数を用いて前記第２部分を送信するステップと、
を備え、
前記第２規制範囲における前記少なくとも１つの周波数が利用可能のままであり続けていない場合、その後前記第２規制範囲における前記少なくとも１つの周波数を同時に用いずに、前記第１規制範囲における前記少なくとも１つの周波数を用いてデーターを送信する、方法。
【請求項２】
少なくとも１つの無線機を有するワイヤレスデバイスの動作方法であって、
第１規制範囲において少なくとも１つの周波数を動的に決定するステップと、
第２規制範囲において少なくとも１つの周波数を動的に決定するステップであって、前記第２規制範囲が免許制範囲であり、前記第２規制範囲において少なくとも１つの周波数を動的に決定するステップが、
前記デバイスの外部にあるソースから、前記免許制範囲内にある未使用チャネルを示す情報を入手するステップと、
前記免許制範囲における前記少なくとも１つの周波数が利用可能か否か判断するために、前記デバイスの外部にある前記ソースに繰り返しアクセスするステップを含み、
送信用データーを、少なくとも第１部分および第２部分に分解するステップと、
前記少なくとも１つの無線機によって、前記第１規制範囲において前記少なくとも１つの周波数を用いて少なくとも前記第１部分を送信し、前記第２規制範囲において前記少なくとも１つの周波数を用いて前記第２部分を送信するステップと、
を備え、
前記第２規制範囲における前記少なくとも１つの周波数が利用可能のままであり続けていない場合、その後前記第１規制範囲における前記少なくとも１つの周波数を用いて前記データーの第３部分を送信し、前記第２規制範囲における前記少なくとも１つの範囲とは異なる前記第２規制範囲における周波数を用いて前記データーの第４部分を同時に送信する、方法。
【請求項３】
少なくとも１つの無線機を有するワイヤレスデバイスの動作方法であって、
第１規制範囲において少なくとも１つの周波数を動的に決定するステップと、
第２規制範囲において少なくとも１つの周波数を動的に決定するステップと、
送信用データーを、少なくとも第１部分および第２部分に分解するステップと、
前記少なくとも１つの無線機によって、前記第１規制範囲において前記少なくとも１つの周波数を用いて少なくとも前記第１部分を送信し、前記第２規制範囲において前記少なくとも１つの周波数を用いて前記第２部分を送信するステップと、
を備え、
前記第１規制範囲において前記少なくとも１つの周波数を用いて少なくとも前記第１部分を送信し、前記第２規制範囲において前記少なくとも１つの周波数を用いて前記第２部分を送信するステップが、
前記第２規制範囲における前記少なくとも１つの周波数の各々に対して送信電力レベルを決定するステップを含み、前記第２規制範囲内における規制上の制約に少なくとも部分的に基づいて、前記送信電力レベルを決定する、方法。
【請求項４】
請求項１〜３のいずれか一項に記載の方法を実行するためのプログラム。
【請求項５】
請求項１〜４のいずれか一項に記載の方法を実行するためのプログラムを記録した記録媒体。
【請求項６】
少なくとも１つの無線機を有するワイヤレスデバイスであって、
第１規制範囲において少なくとも１つの周波数を動的に決定する手段と、
第２規制範囲において少なくとも１つの周波数を動的に決定する手段であって、前記第２規制範囲が免許制範囲であり、前記第２規制範囲において少なくとも１つの周波数を動的に決定する手段が、
前記デバイスの外部にあるソースから、前記免許制範囲内にある未使用チャネルを示す情報を入手する手段と、
前記免許制範囲における前記少なくとも１つの周波数が利用可能か否か判断するために、前記デバイスの外部にある前記ソースに繰り返しアクセスする手段を含み、
送信用データーを、少なくとも第１部分および第２部分に分解する手段と、
前記少なくとも１つの無線機によって、前記第１規制範囲において前記少なくとも１つの周波数を用いて少なくとも前記第１部分を送信し、前記第２規制範囲において前記少なくとも１つの周波数を用いて前記第２部分を送信する手段と、
を備え、
前記第２規制範囲における前記少なくとも１つの周波数が利用可能のままであり続けていない場合、その後前記第２規制範囲における前記少なくとも１つの周波数を同時に用いずに、前記第１規制範囲における前記少なくとも１つの周波数を用いてデーターを送信する、ワイヤレスデバイス。
【請求項７】
少なくとも１つの無線機を有するワイヤレスデバイスであって、
第１規制範囲において少なくとも１つの周波数を動的に決定する手段と、
第２規制範囲において少なくとも１つの周波数を動的に決定する手段であって、前記第２規制範囲が免許制範囲であり、前記第２規制範囲において少なくとも１つの周波数を動的に決定する手段が、
前記デバイスの外部にあるソースから、前記免許制範囲内にある未使用チャネルを示す情報を入手する手段と、
前記免許制範囲における前記少なくとも１つの周波数が利用可能か否か判断するために、前記デバイスの外部にある前記ソースに繰り返しアクセスする手段を含み、
送信用データーを、少なくとも第１部分および第２部分に分解する手段と、
前記少なくとも１つの無線機によって、前記第１規制範囲において前記少なくとも１つの周波数を用いて少なくとも前記第１部分を送信し、前記第２規制範囲において前記少なくとも１つの周波数を用いて前記第２部分を送信する手段と、
を備え、
前記第２規制範囲における前記少なくとも１つの周波数が利用可能のままであり続けていない場合、その後前記第１規制範囲における前記少なくとも１つの周波数を用いて前記データーの第３部分を送信し、前記第２規制範囲における前記少なくとも１つの範囲とは異なる前記第２規制範囲における周波数を用いて前記データーの第４部分を同時に送信する、ワイヤレスデバイス。
【請求項８】
少なくとも１つの無線機を有するワイヤレスデバイスであって、
第１規制範囲において少なくとも１つの周波数を動的に決定する手段と、
第２規制範囲において少なくとも１つの周波数を動的に決定する手段と、
送信用データーを、少なくとも第１部分および第２部分に分解する手段と、
前記少なくとも１つの無線機によって、前記第１規制範囲において前記少なくとも１つの周波数を用いて少なくとも前記第１部分を送信し、前記第２規制範囲において前記少なくとも１つの周波数を用いて前記第２部分を送信する手段と、
を備えているワイヤレスデバイスにおいて、
前記少なくとも１つの無線機によって、第１規制範囲において前記少なくとも１つの周波数を用いて少なくとも前記第１部分を送信し、前記第２規制範囲において前記少なくとも１つの周波数を用いて前記第２部分を送信する手段が、
前記第２規制範囲における前記少なくとも１つの周波数の各々に対して送信電力レベルを決定するステップを含み、前記第２規制範囲内における規制上の制約に少なくとも部分的に基づいて、前記送信電力レベルを決定する、ワイヤレスデバイス。